(57)【特許請求の範囲】
【請求項１】
浴室の壁に沿って床上に立設する上下に長いシャワースタンドの上端面から上方に向けてシャワーポールを突出し、該シャワーポールの先端にシャワーヘッドを設け、シャワースタンドの上端部から、上面が前記シャワースタンドの上端面と面一となる小物置台を前記浴室の壁に沿う側方に向けて突設し、前記シャワーヘッドが小物置台よりも前方に位置することを特徴とするシャワー装置。
【発明の詳細な説明】
【技術分野】
【０００１】
本発明はシャワースタンドを備えたシャワー装置に関する。
【背景技術】
【０００２】
従来の浴室には例えば特許文献１に示すようにシャワー装置が設置される。ところでシャワー装置を使用する時にはシャンプーや石鹸等を使用するが、従来のシャワー装置にあってはシャワー装置近傍の使用者の手が届く位置にシャンプーや石鹸等の小物を置くための台が存在せず、非常に不便であった。またシャワー装置近傍の壁に小物を置くための小物置台を形成することが考えられるが、この場合はシャワー装置とは別に小物置台を設置する必要があり、作業が面倒である。
【特許文献１】特開２００５−２７８８１０号公報
【発明の開示】
【発明が解決しようとする課題】
【０００３】
本発明は上記従来の問題点に鑑みて発明したものであって、使用者に近い位置にシャンプーや石鹸等を載置できて便利であり、浴室の壁等に別に小物置台を設置する必要のないシャワー装置を提供することを課題とするものである。
【課題を解決するための手段】
【０００４】
上記課題を解決するために本発明に係るシャワー装置は、浴室の壁２に沿って床３上に立設する上下に長いシャワースタンド４の上端面から上方に向けてシャワーポール１５を突出し、該シャワーポール１５の先端にシャワーヘッド１６を設け、シャワースタンド４の上端部から、上面が前記シャワースタンド４の上端面と面一となる小物置台８を前記浴室の壁２に沿う側方に向けて突設し、前記シャワーヘッド１６が小物置台８よりも前方に位置することを特徴とするものである。
【０００５】
上記構成により、シャワー装置１の使用者は最も近い位置にあるシャワースタンド４に設けた小物置台８にシャンプーや石鹸等を載置できて非常に便利である。また浴室の壁２等に別に小物置台を設置する必要がない。
【発明の効果】
【０００６】
本発明では、使用者に近い位置にシャンプーや石鹸等を載置できて便利であり、浴室の壁等に別に小物置台を設置する必要がない。
【発明を実施するための最良の形態】
【０００７】
以下、本発明を添付図面に示す実施形態に基いて説明する。図１に示すように本実施形態のシャワー装置１は浴室の壁２に沿って設置される。なお前記浴室とは浴槽を設置した浴室だけではなく、浴槽を設置していないシャワー室も含むものとする。
【０００８】
シャワー装置１は浴室の床３の上に立設した上下に長いシャワースタンド４と、シャワースタンド４上に立設した固定型シャワー５と、シャワースタンド４の上端部の側面に接続した可動型シャワー６を備えている。
【０００９】
シャワースタンド４は上下に長いポール状のスタンド本体７で主体を構成してあり、スタンド本体７の後端が浴室の壁２に当接するように浴室の床３に立設している。
【００１０】
スタンド本体７の上端部には側方に向けて小物置台８を突設している。小物置台８はスタンド本体７の上端部を側方に一体に延出して形成したものであり、その前後長さがスタンド本体７の前後長さと同じとなっている。小物置台８の上面はスタンド本体７の上端面と面一となって同面とで水平な載せ面９を形成してあり、この載せ面９にはシャンプーや石鹸等の小物を置くことができる。
【００１１】
スタンド本体７の下端部には固定型シャワー５及び可動型シャワー６へ湯水を供給する給水管１０を床下から床３を通して又は壁裏から壁２を通して導入している。本実施形態では水と湯の夫々を供給する２本の給水管１０を導入している。なお図２では給水管１０の図示を一部省略している。
【００１２】
各給水管１０はシャワースタンド４の下端部からシャワースタンド４の内部を通って上端部に至り、小物置台８に内装した湯水混合装置１１で混合され、この湯水が同じく小物置台８に内装した分岐装置１２で分岐されて固定型シャワー５又は可動型シャワー６に供給される。スタンド本体７から側方に突出した小物置台８の前面には、水と湯の混合量を調節して湯温を調節したり、この湯水を固定型シャワー５又は可動型シャワー６のいずれに供給するかを切換えたり、各シャワー５、６への湯水の供給量を切換えたりするための操作部１３を複数設けてあり、これら操作部１３は小物置台８の突出方向に複数並べて配置されている。またシャワースタンド４のスタンド本体７には各給水管１０の途中に設けた止水栓１４を内装している。
【００１３】
固定型シャワー５は、スタンド本体７の上端から上向きに突出したシャワーポール１５と、シャワーポール１５の先端に設けた固定型シャワーヘッド１６を備えている。
【００１４】
シャワーポール１５は給水管１０から供給された湯水を固定型シャワーヘッド１６に導く管を構成するものである。シャワーポール１５の上端部は前方（即ち平面視で小物置台８の突出方向と直交する方向）に向けて逆Ｕ字状に曲げてあり、これによりシャワーポール１５は逆Ｊ字状となっている。シャワーポール１５の直線部１７（スタンド本体７の後部から鉛直上方に向けて突出する部分）は浴室の壁２に沿い、上下方向の複数箇所が固定具１８により浴室の壁２に固定されている。
【００１５】
固定型シャワーヘッド１６は略円盤状であり、シャワースタンド４の前方に立った使用者の頭上から下側に向けて散水可能な高さ位置に設けられている。なお固定型シャワーヘッド１６は散水の向きを変更できるように回動自在にシャワーポール１５に取付けてあっても良いし、また固定的にシャワーポール１５に取付けてあっても良い。
【００１６】
また上記固定型シャワーヘッド１６は前述のシャワースタンド４の小物置台８よりも前方に位置し（図示例では操作部１３よりも前方に位置している）、これにより止水時等において固定型シャワーヘッド１６から落下する水が載せ面９に載置した小物に当たらないようにしている。
【００１７】
可動型シャワー６は、給水管１０に連通するシャワーホース１９と、シャワーホース１９に連通する可動型シャワーヘッド２０とを備えている。シャワーホース１９は可撓性を有するものであり、一端をスタンド本体７の上端部の小物置台８とは反対側の側面に接続し、他端を可動型シャワーヘッド２０に接続している。なお図１ではシャワーホース１９を一点鎖線で示し、図２ではシャワーホース１９の図示を省略している。
【００１８】
上記シャワー装置１の使用者は、操作部１３を操作して、使用者の頭上に位置する固定型シャワーヘッド１６から湯水を散水したり、可動型シャワーヘッド２０を手で持って該可動型シャワーヘッド２０から使用者の体の各部位に湯水を散水したりする。
【００１９】
ここで本発明ではシャワースタンド４から側方に向けて小物置台８を突設しているので、シャワー装置１の使用者は最も近い位置にあるシャワースタンド４に設けた小物置台８にシャンプーや石鹸等を載置できて非常に便利である。また浴室の壁２等に別に小物置台を設置する必要がない。しかもこの小物置台８の突出方向は壁２に沿う方向であるので、該小物置台８は浴室にいる使用者にとって邪魔にならない。さらには使用者はシャワー装置１の前方に座ったり同位置で立った状態でシャワー装置１を使用するが、本実施形態では小物置台８をシャワースタンド４の上端部に設けているので、シャワー装置１を座って使用する使用者にとっても立って使用する使用者にとっても小物置台８を近い位置に配置でき、小物を使用者にとって使いやすい位置に載置できる。
【図面の簡単な説明】
【００２０】
【図１】本発明の実施の形態の一例のシャワー装置を浴室に設置した状態を示すものであり、（ａ）は正面図、（ｂ）は側面図、（ｃ）は平面図である。
【図２】同上のシャワースタンド部分を拡大した図であり、（ａ）は正断面図、（ｂ）は側断面図、（ｃ）は水平断面図である。
【符号の説明】
【００２１】
１  シャワー装置
３  床
８  小物置台
４  シャワースタンド
１５  シャワーポール
１６  シャワーヘッド
【図１】
0004696888.tif 000002
【図２】
0004696888.tif 000003